(57)【要約】【課題】光透過窓に設置したときに、光透過窓を透かして見た視認対象物のゴースト像が見えず、特定方向から光透過窓に入射する光の透過を妨げず、その特定方向以外から光透過窓に入射する光の透過を妨げる、ルーバーフィルムを提供する。【解決手段】［１］光透過帯１１と遮光帯１２とが交互に配されているルーバー層１０を備えたルーバーフィルム１であって、遮光帯１２のピッチが３００μｍ以上１１００μｍ以下であることを特徴とするルーバーフィルム１。［２］｛前記光透過帯の幅／（前記光透過帯の幅＋前記遮光帯の幅）｝×１００％で表される開口率が９０％以上９９．９％以下であることを特徴とする［１］記載のルーバーフィルム。［３］ルーバー層１０の厚さが３５０μｍ以上３０００μｍ以下であることを特徴とする［１］又は［２］に記載のルーバーフィルム。【選択図】図１
2018087899.tif 000002
【特許請求の範囲】
【請求項１】
光透過帯と遮光帯とが交互に配されているルーバー層を備えたルーバーフィルムであって、前記遮光帯のピッチが３００μｍ以上１１００μｍ以下であることを特徴とするルーバーフィルム。
【請求項２】
｛前記光透過帯の幅／（前記光透過帯の幅＋前記遮光帯の幅）｝×１００％で表される開口率が９０％以上９９．９％以下であることを特徴とする請求項１記載のルーバーフィルム。
【請求項３】
前記ルーバー層の厚さが３５０μｍ以上３０００μｍ以下であることを特徴とする請求項１又は２に記載のルーバーフィルム。
【発明の詳細な説明】
【技術分野】
【０００１】
本発明は、例えば、建物の窓、自動車のフロントガラスやヘッドアップディスプレイ等の光透過窓に適用され、その光透過窓に入射する光の一部の透過を妨げる、ルーバーフィルムに関する。
【背景技術】
【０００２】
従来、窓ガラスの室内側に金属製の羽板が並んだブラインドを設置して、外部から入射する光量を調節することが行われている。ブラインドのルーバー角を調節することによって光量を容易に調節できる利点がある一方、ブラインドの厚みは一般に窓ガラスよりも厚く、室内側の空間に圧迫感を与えることがあった。また、光透過窓が湾曲していたり、傾斜していたりする場合には、その光透過窓の状態に沿って従来のブラインドを設置することが困難であった。
【０００３】
そこで、本発明者は光透過窓に密着させることが可能な透明フィルムがブラインド機能を有すれば、従来のブラインドを設置し難い箇所に適用できると考え、従来の液晶表示画面に貼り付けて覗き見防止のために使用される光出射方向制御シート（例えば特許文献１参照）の適用を検討した。
【先行技術文献】
【特許文献】
【０００４】
【特許文献１】特開２００６−３３７８３７号公報
【発明の概要】
【発明が解決しようとする課題】
【０００５】
しかしながら、従来の光射出方向制御フィルムを光透過窓に貼り付けて、室内側から外部の風景を見たときに、視認対象物が複数に重なったゴースト像が見えてしまう問題があった。本発明者が更に検討したところ、この現象は観察者の生理学的な現象ではなく、光出射方向制御フィルムが回折格子として機能することによる物理的な現象であることが分かった。
【０００６】
本発明は、前記事情に鑑みてなされたものであって、光透過窓に設置したときに、光透過窓を透かして見た視認対象物のゴースト像が見えず、特定方向から光透過窓に入射する光の透過を妨げず、その特定方向以外から光透過窓に入射する光の透過を妨げる、ルーバーフィルムを提供する。
【課題を解決するための手段】
【０００７】
［１］  光透過帯と遮光帯とが交互に配されているルーバー層を備えたルーバーフィルムであって、前記遮光帯のピッチが３００μｍ以上１１００μｍ以下であることを特徴とするルーバーフィルム。
［２］  ｛前記光透過帯の幅／（前記光透過帯の幅＋前記遮光帯の幅）｝×１００％で表される開口率が９０％以上９９．９％以下であることを特徴とする［１］記載のルーバーフィルム。
［３］  前記ルーバー層の厚さが３５０μｍ以上３０００μｍ以下であることを特徴とする［１］又は［２］に記載のルーバーフィルム。
【発明の効果】
【０００８】
本発明のルーバーフィルムによれば、光透過窓に設置したときに、光透過窓を透かして見た視認対象物のゴースト像が見えず、特定方向から光透過窓に入射する光の透過を妨げず、その特定方向以外から光透過窓に入射する光の透過を抑制することができる。これにより、光透過窓から入射する光量を調節したり、外部からの室内側の覗き見を防止したり、光透過窓から離れた位置に設置されたディスプレイからの表示を所定の方向から視認し難くしたりすることができる。
【図面の簡単な説明】
【０００９】
【図１】本発明の第１実施形態を示す斜視図である。
【図２】図１中のＩＩ−ＩＩ線に沿う断面図である。
【図３】本発明に係るルーバーフィルムの利用方法の一例である。
【図４】本発明に係るルーバーフィルムの利用方法の別の一例である。
【発明を実施するための形態】
【００１０】
＜第一の実施形態＞
図１、２は本発明のルーバーフィルムの第一実施形態を示したものであり、図１は斜視図であり、図２は図１中のＩＩ−ＩＩ線に沿う断面図である。なお、図面はルーバーフィルムの一部を拡大して模式的に示している。
本実施形態のルーバーフィルム１は、光透過帯１１と遮光帯１２とが交互に配されているルーバー層１０と、ルーバー層１０の表面の全体に設けられた第１の透明保護層１３と、ルーバー層１０の裏面の全面に設けられた第２の透明保護層１４とを有する。
【００１１】
ルーバーフィルム１の全体の平面形状は矩形であるが、この平面形状は矩形に限定されず、適用する光透過窓の形状に応じて適宜変更できる。ここで「光透過窓」とは、光が透過可能な任意の空間における有限の二次元領域を意味する。この二次元領域は、平面であってもよいし、任意の曲面であってもよい。前記二次元領域には、光が透過可能なガラス、プラスチック等の物理的な窓基材が設置されていてもよいし、設置されていなくてもよい。窓基材が設置されていない場合には、ルーバーフィルムは自立型のフィルムとして自己の形状を保持することが好ましい。窓基材が設置されている場合には、ルーバーフィルムをその窓基材に密着させることにより、窓基材がルーバーフィルムの形状を支持することができる。
【００１２】
本実施形態においてルーバー層１０の厚さ方向をＺ方向、Ｚ方向に垂直な面内において、光透過帯１１および遮光帯１２が延びている方向をＸ方向、Ｘ方向とＺ方向の両方に対して垂直な方向をＹ方向とする。ルーバー層１０を構成している光透過帯１１および遮光帯１２はいずれもＸ方向に延びる帯状であり、Ｙ方向において複数の光透過帯１１と複数の遮光帯１２とが交互に配されている。複数の光透過帯１１のＹ方向の幅Ｗ１は均一であり、かつＸ方向において一定である。複数の遮光帯１２のＹ方向の幅Ｗ２も均一であり、かつＸ方向において一定である。
本実施形態における遮光帯１２のピッチＰは、Ｙ方向における光透過帯１１の幅Ｗ１と遮光帯１２の幅Ｗ２の合計値である。
【００１３】
光透過帯１１の材料としては、目的の可視光の波長を透過させる樹脂材料が用いられる。光透過帯１１を透過する光の波長は可視光の全範囲３８０ｎｍ以上８３０ｎｍ以下であってもよいし、その一部であってもよい。図中Ｚ方向に沿って光透過帯１１のみに対して光を入射させたときの光線透過率が７５％以上、好ましくは８５％以上であるような、高い透明性を有する樹脂材料が好ましい。具体的には、透明性が高い熱可塑性樹脂や熱硬化性樹脂を例示でき、例えば、セルロース系樹脂、ポリオレフィン系樹脂、ポリエステル系樹脂、シリコーン樹脂、ポリスチレン樹脂、ポリ塩化ビニル樹脂、アクリル樹脂、ポリカーボネート樹脂等が挙げられる。中でもシリコーン樹脂が好ましく、耐熱性、透明性の点でシリコーンゴムが特に好ましい。
【００１４】
本発明における「光線透過率」の値は、光源としてＪＩＳ  Ｚ  ８７２０に規定されるＤ６５を用い、光源から出射された検査光の強度を受光センサーで測定する装置において、前記検査光の光路上に被測定物が無い状態での受光センサーの出力値をＡ、検査光の光路上に被測定物をセットし、被測定物を透過した透過光が受光センサーで受光される状態での出力値をＢとするとき、光線透過率＝（Ｂ／Ａ）×１００（単位；％）で求められる値とする。
【００１５】
遮光帯１２の材料としては、光透過帯１１の材料として上記に挙げた樹脂を基材とし、これに顔料や染料等の着色剤を添加してなる着色樹脂が好適に用いられる。
ルーバー層１０において、光透過帯１１をなしている樹脂材料と、遮光帯１２の基材としての樹脂材料とは同じであってもよく、異なっていてもよいが、光透過帯１１と遮光帯１２との接着性の点からは両者が同じであることが好ましい。
【００１６】
遮光帯１２の色調は、遮光帯１２における好ましい遮光性が得られればよく、例えば黒、赤、黄、緑、青、水色等とすることができる。遮光帯１２の色調は、着色剤の種類および添加量によって調整できる。具体的には、図中Ｙ方向に沿って遮光帯１２のみに対して光を入射させたときの光線透過率が４０％以下、好ましくは１０％以下となるような遮光性を有することが好ましい。
遮光帯１２のＹ方向と直行する面における光沢値は、ＪＩＳ  Ｚ  ８７４１における入射角度６０°での値として評価することができる。通常、光沢値が低いほど、遮光帯１２による光の反射が低減する傾向がある。
遮光帯１２の色調は、ルーバー層１０（ルーバーフィルム１）を見たときに認識される色調を構成するので意匠性も考慮して設計することが好ましい。
【００１７】
着色剤の具体例としては、カーボンブラック、ベンガラ、酸化鉄、酸化チタン、黄色酸化鉄、ジスアゾイエロー、フタロシアニンブルー等の一般的な有機顔料あるいは無機顔料が挙げられる。着色剤は１種でもよく、２種以上を用いてもよい。黒色顔料を用いない場合は、良好な遮光性を得るために白色顔料を併用することが好ましい。
樹脂基材に添加する着色剤の添加量は、少ないと十分な遮光性が得られず、多いと加工性の悪化が著しくなることを考慮して適宜設定すればよい。
【００１８】
図２に示すように、ルーバー層１０の遮光帯１２のピッチＰは、（光透過帯１１の幅Ｗ１＋遮光帯１２の幅Ｗ２）で表される。この遮光帯１２のピッチＰは３００μｍ以上１１００μｍ以下であり、３５０μｍ以上９００μｍ以下が好ましく、４００μｍ以上７５０μｍ以下がより好ましい。
上記範囲の下限値以上であると、前述した視認対象物がのゴースト像が見える現象を充分に防ぐことができる。
上記範囲の上限値以下であると、ルーバーフィルム１を透過する光量の調節や、後述する光透過角度（視認角度）θの調節が容易になる。通常、ピッチＰが狭くなるほど、ルーバーフィルム１を透過する光量は低減し、光透過角度θが狭くなる。
【００１９】
ルーバーフィルム１のＺ方向における光線透過率は、その用途にもよるが、５０％以上９０％以下が好ましく、６０％以上８８％以下がより好ましく、６５％以上８５％以下がさらに好ましい。
【００２０】
Ｙ方向における｛光透過帯１１の幅Ｗ１／（光透過帯１１の幅Ｗ１＋遮光帯１２の幅Ｗ２）｝×１００％で表される開口率は、ルーバー層１０に入射するＺ方向に沿う光線の透過率に影響する。この透過率を大きくする観点に立つと、遮光帯１２の幅Ｗ２が小さく、光透過帯１１の幅Ｗ１が大きく、開口率が大きい方が好ましい。一方、ルーバー層１０の光線の透過率を小さくし、その光透過角度を狭くする観点に立つと、遮光帯１２の幅Ｗ２が大きく、光透過帯１１の幅Ｗ１が小さく、開口率が小さい方が好ましい。これらの観点のバランスを取って、光透過窓を通した視認対象物の視認性をより向上する観点から、前記開口率は、９０％以上９９．９％以下が好ましく、９１％以上９９％以下がより好ましく、９３％以上９８％以下がさらに好ましい。
【００２１】
ルーバー層１０において、光線透過率の低減を抑制し、光透過角度θを拡げる観点に立つと、Ｙ方向における光透過帯１１の幅Ｗ１は、２７０μｍ以上が好ましく、３００μｍ以上がより好ましく、４００μｍ以上がさらに好ましい。光透過帯１１の幅Ｗ１を上記の範囲とすることにより、ルーバー層１０における光線の良好な光線透過率及び光透過角度θを得ることができる。また、ブラインドとして機能するように光線透過率を低減し、光透過角度θを狭める目的からすると、光透過帯１１の幅Ｗ１の上限値は、例えば、１０９８μｍ程度といえる。
【００２２】
ルーバー層１０において、光線透過率の低減を抑制し、光透過角度θを拡げる観点に立つと、Ｙ方向における遮光帯１２の幅Ｗ２は１００μｍ以下であることが好ましく、５０μｍ以下がより好ましく、３０μｍ以下がさらに好ましい。遮光帯１２の幅Ｗ２を上記の範囲とすることにより、ルーバー層１０における光線の良好な光線透過率及び光透過角度θを得ることができる。遮光帯１２の幅Ｗ２の下限値は、製造上の限界を考慮すると、１μｍ程度といえる。
【００２３】
Ｚ方向におけるルーバー層１０の厚さＴは、特に限定されず、ルーバー層１０の光線透過率の低減を抑制しつつ、光透過角度θを狭める観点に立つと、例えば、３５０μｍ以上３０００μｍ以下が好ましく、４００μｍ以上２０００μｍ以下がより好ましく、５００μｍ以上１０００μｍ以下がさらに好ましい。
上記範囲の下限値以上であると、ブラインドとして機能するように光線透過率を低減し、光透過角度θを狭めることができる。
上記範囲の上限値以下であると、充分な光線透過率及び光透過角度θが得られる。また、光透過窓における設置がより容易になる。
【００２４】
Ｘ方向に垂直な面（Ｙ−Ｚ面、図２における紙面）内におけるルーバーフィルム１の光透過角度θは、図２に示すように、ルーバーフィルム１の単一の光透過帯１１を表面から裏面に透過する光線群が互いに成す角度の最大値である。光透過角度θは、ルーバー層１０の厚さＴとＹ方向における光透過帯１１の幅Ｗ１によって決まる。ルーバー層１０の厚さＴが薄いほど光透過角度θは大きくなり、光透過帯１１の幅Ｗ１が大きいほど光透過角度θは大きくなる。
したがって、ルーバー層１０の厚さは、遮光帯１２のピッチＰと遮光帯１２の幅Ｗ２の好ましい範囲も考慮して、所望の光透過角度θが得られるように設計することが好ましい。
例えば、遮光帯１２のピッチＰが５００μｍで、遮光帯１２の幅Ｗ２が２０μｍの場合に、ルーバー層１０の厚さＴが７４０μｍであれば約１００°の光透過角度θが得られる。
ルーバー層１０の厚さＴの下限値は、好ましい光透過角度θの範囲を考慮して設定される。
【００２５】
ルーバーフィルムにおける光透過角度θが小さ過ぎると光透過窓を通して反対側の視認対象物を見づらくなることがある。一方、光透過角度θが大き過ぎると、光透過窓から入射する光量を調節したり、外部からの室内側の覗き見を抑制したりすることが難しくなることがある。ルーバーフィルムの用途によってその好適な光透過角度θは変わり得るが、例えば、３０°以上１５０°以下が好ましく、４５°以上１４０°以下がより好ましく、６０°以上１２０°以下がさらに好ましい。
【００２６】
以上で説明したルーバー層１０は、例えば、以下の方法で製造することができる。まず、光透過帯１１の構成材料からなり厚さが上記Ｗ１である第１のシートの複数枚と、遮光帯１２の構成材料からなり厚さが上記Ｗ２である第２のシートの複数枚とを交互に積層し、加熱および加圧してこれら複数のシートが一体化してなるブロック体を形成する。次いで、ブロック体を構成する積層された各シートの表面に対して垂直な切断面でブロック体をスライスすることによりルーバー層１０が得られる。スライスする際の厚さ（スライス幅）は上記Ｔである。
【００２７】
ルーバー層１０の表面および裏面にそれぞれ設けられる第１の透明保護層１３および第２の透明保護層１４の材料として、例えば、光透過帯１１の材料として上記に挙げた樹脂を用いることができる。第１の透明保護層１３および第２の透明保護層１４それぞれの単体に対して、各層の厚さ方向（図中のＺ方向）に光を透過させたときの光線透過率は、７５％以上が好ましく、８５％以上がより好ましい。
ルーバーフィルム１において、第１の透明保護層１３および第２の透明保護層１４のそれぞれを形成している樹脂材料、および光透過帯１１を形成している樹脂材料は、互いに同じであってもよく、それぞれ異なっていてもよい。第１の透明保護層１３および第２の透明保護層１４の材料は、透明性と耐熱性の点からポリカーボネート樹脂、ポリエステル系樹脂、アクリル樹脂、ポリオレフィン系樹脂（特に、シクロオレフィンポリマー）、セルロース系樹脂が好ましく、中でもポリカーボネート、およびポリエステル樹脂がより好ましい。
第１の透明保護層１３のＺ方向における厚さは、薄すぎると十分な保護機能が得られず、厚いほど光線透過率が低下するので、０．０１〜０．５ｍｍ程度が好ましく、０．１〜０．２ｍｍ程度がより好ましい。
第２の透明保護層１４のＺ方向における厚さは、薄すぎると取り扱い性が悪く、ルーバーフィルム１の製造時の作業性に問題が生じる。また、厚いほど光線透過率が低下するので、０．０１〜０．５ｍｍ程度が好ましく、０．１〜０．２ｍｍ程度がより好ましい。
【００２８】
ルーバー層１０の表面および裏面に、第１の透明保護層１３および第２の透明保護層１４をそれぞれ設ける方法は特に限定されず、公知の手法を適宜用いることができる。
例えば、ルーバー層１０の表面に接着剤を塗布し、第１の透明保護層１３の材料からなるシートを貼り合わせた後、接着剤を硬化させる方法でもよい。第２の透明保護層１４も同様にしてルーバー層１０の裏面に接着一体化することができる。
【００２９】
前記接着剤は硬化後における光線透過率が高いものが好ましい。具体的には、硬化後の接着剤層の単体における光線透率が６５％以上であるものが好ましく、８０％以上がより好ましい。前記接着剤としては、硬化後に透明性を有する、熱硬化型接着剤、多液反応型接着剤、紫外線硬化型接着剤等が挙げられる。具体的には、例えば、エポキシ系接着剤、ウレタン系接着剤、アクリル系接着剤、メラミン系接着剤、ポリエステル系接着剤、シリコーン系接着剤等を好適に用いることができる。
以上で説明した方法によりルーバーフィルム１が得られる。
【００３０】
＜作用効果＞
本実施形態のルーバーフィルム１によれば、例えば、建物の窓、自動車のフロントガラスやヘッドアップディスプレイ等の光透過窓に設置することによって、その光透過窓に入射する光のうち、光透過角度θの範囲内にある特定の入射角を有する光のみを透過させることができる。例えば、図３に示すように、ルーバーフィルム１が貼り付けられた建物２の窓ガラスを通して、屋外の視認対象物である木々３を眺めた場合、室内の観察者Ａと木々３とを結ぶベクトルの方向は、ルーバーフィルム１のルーバー層１０を構成する光透過帯１１及び遮光帯１２の厚さ方向（図２のＺ方向）に沿っている。つまり、木々３から観察者Ａに向かう光線のベクトルは、ルーバーフィルム１の光透過角度θの範囲内にある。このため、観察者Ａは木々３を容易に視認できる。またこの際、ルーバー層のピッチＰは３００μｍ以上とされているため、木々３のゴースト像は観察されない。一方、屋外にいる通行人Ｂと室内の観察者Ａとを結ぶベクトルの角度は、ルーバーフィルム１の光透過角度θの範囲外であるため、通行人Ｂから観察者Ａを視認することが難しくなっている。同様に、太陽Ｓとルーバーフィルム１とを結ぶベクトルの角度は、ルーバーフィルム１の光透過角度θの範囲外であるため、太陽Ｓからの直射日光が室内に射し込み難くなっている。
【００３１】
＜変形例１＞
上記実施形態の変形例として、図示していないが、第１の透明保護層１３の反対側の最外層として粘着層を設けてもよい。例えば、第２の透明保護層１４を設けず、ルーバー層１０の裏面の全体に粘着層を設けることができる。また、第２の透明保護層１４の上に粘着層を積層した構成も例示できる。
前記粘着層の材料としては、透明性が高いものが好ましく、窓ガラス等の窓基材に対して剥離可能な程度の粘着力を有するものであってもよいし、剥離不可能な程度に接着するものであってもよい。このような粘着層を形成可能な粘着剤として、市販品が適用され、例えば、アクリル系粘着剤、ウレタン系粘着剤、ゴム系粘着剤等が挙げられる。前記エラストマーの具体例としては、シリコーンゴム、シリコーンゲル、ウレタンゴム、ウレタンゲル等が挙げられる。これらの中でも、剥離した後の糊残りが少なく、透明性が高い点でシリコーンゴムが特に好ましい。形成された粘着層には、鏡面加工が施されてもよい。
上記の変形例によれば、ルーバーフィルムを窓基材の表面に貼り付けることができるので、ルーバーフィルムと窓基材との間に空気層が介在している構成に比べて、透過光の損失が小さくなる。
【００３２】
＜変形例２＞
上記実施形態では、図２の断面における遮光帯１２の向き（前記断面における遮光帯１２の長辺の長手方向）は、ルーバーフィルム１の厚さ方向（Ｚ方向）と平行であるが、遮光帯１２の向きがＺ方向に対して傾いていてもよい。例えば図４に示すように、建物２の２階の窓ガラスに設置されたルーバーフィルム１の遮光帯１２の前記向きは、室内の観察者Ａが地上を見下ろす方向に沿って、遮光帯１２の前記向きをＺ方向（窓ガラスの厚み方向）に対して傾けた構成が挙げられる。この構成によれば、室内の観察者Ａが地上の視認対象物３を観察することが容易であるとともに、観察者Ａが見上げる方向にある太陽Ｓからの直射日光の射し込みを抑制することができる。
【実施例】
【００３３】
［実施例１］
図１，２に示す構成のルーバーフィルム１を製造した。
まず、光透過帯１１として透明シリコーンゴム（信越化学工業社製、商品名；ＫＥ１５３Ｕ）からなる厚さが４８０μｍの第１のシートを用意した。
これとは別に、遮光帯１２として透明シリコーンゴム（信越化学工業社製、商品名；ＫＥ１５３Ｕ）にカーボンブラックを添加した黒色材料からなる厚さが２０μｍの第２のシートを用意した。
次に、第１のシート複数枚と第２のシート複数枚とを交互に積層した後、加熱加硫および加圧してこれら複数のシートが一体化してなるブロック体を形成した。このブロック体をシート表面に垂直な切断面で、厚さ７４０μｍにスライスすることによりルーバー層１０を作製した。
続いて、得られたルーバー層１０の両面に熱硬化型接着剤（信越化学工業社製、商品名；ＫＥ１８２５）を塗布した厚さ１００μｍのポリカーボネートシート（第１および第２の透明保護層１３，１４）を貼り合わせ熱硬化させることにより、ルーバーフィルム１を作製した。
【００３４】
本実施例で作製したルーバーフィルム１において、遮光帯１２のピッチＰは５００μｍ、遮光帯１２の幅が２０μｍ、ルーバー層１０の厚さが７４０μｍである。
本実施例のルーバーフィルム１ついて、測定角度を変化させながら、すなわち図１，２のＹ−Ｚ平面内においてＺ方向と光源から受光器への光軸とのなす角度を変化させながら、光線透過率を測定した。その結果、本実施例のルーバーフィルム１の光透過角度θは１００°であり、Ｚ方向における光線透過率は８０％であった。光透過角度θを超えた角度から入射した光の光線透過率は、５％未満であった。
【００３５】
本実施例のルーバーフィルム１を手に持ち、腕を伸ばした状態で視線の方向へかざして、ルーバーフィルム１を通して以下の視認対象物を観察した。
視認対象物として、屋外のビル群、屋外の信号、天井の蛍光灯、ＰＣの液晶画面に表示された水平方向の赤線をそれぞれ見たところ、ゴースト像は見られず、良好に視認することができた。観察の際、光透過角度θを超える範囲の光の透過率は低く、ブラインドとしての機能が充分に発揮されることを確認できた。
【００３６】
［比較例１］
実施例１における第１のシートの厚さを１３０μｍに変更してルーバー層を形成した以外は、実施例１と同様にルーバーフィルムを作製した。この比較例のルーバーフィルムにおいて、遮光帯１２のピッチＰは１５０μｍ、遮光帯の幅が２０μｍ、ルーバー層の厚さが２００μｍである。このルーバーフィルムの光透過角度θは約１００°であった。
比較例のルーバーフィルムを用いて、実施例１と同様の観察実験を行ったところ、屋外のビル群の輪郭、屋外の信号、天井の蛍光灯、ＰＣの液晶画面に表示された水平方向の赤線のいずれについても、２重又は３重にぼやけて見えるゴースト像が発生した。
【産業上の利用可能性】
【００３７】
本発明のルーバーフィルムは、建物の窓、自動車のフロントガラスやヘッドアップディスプレイ等に広く利用可能である。
【符号の説明】
【００３８】
１  ルーバーフィルム
１０  ルーバー層
１１  光透過帯
１２  遮光帯
【図１】
2018087899.tif 000003
【図２】
2018087899.tif 000004
【図３】
2018087899.tif 000005
【図４】
2018087899.tif 000006